(57)【特許請求の範囲】
【請求項１】
情報を入力する入力手段と、
前記入力手段によって入力された前記情報を記憶する記憶手段と、
前記入力手段に前記情報の入力を指示する操作を受け付ける操作面を有する第１の操作受付手段と、
前記第１の操作受付手段の前記操作面を操作する操作指示手段と、
前記第１の操作受付手段の前記操作面が操作を受け付け可能か否かにかかわらず、前記入力手段による前記情報の入力を指示するときに操作される第２の操作受付手段と、
前記操作指示手段を収納する収納手段と、
前記操作指示手段が前記収納手段に収納されているか否かを検出する検出手段と、
前記入力手段、前記記憶手段、前記第１の操作受付手段、前記第２の操作受付手段、および前記検出手段を制御する制御手段と
を備え、
前記第１の操作受付手段の前記操作面が操作を受け付け可能な状態で、前記制御手段は、
前記検出手段により前記操作指示手段が前記収納手段に収納されていることが検出された場合、前記第１の操作受付手段の前記操作面が操作されても前記入力手段による前記情報の入力を禁止し、前記第２の操作受付手段が操作される際は前記入力手段による前記情報の入力を許可し、
前記検出手段により前記操作指示手段が前記収納手段に収納されていないことが検出された場合、前記第２の操作受付手段が操作されても前記入力手段による前記情報の入力を禁止し、前記第１の操作受付手段の前記操作面が操作される際は前記入力手段による前記情報の入力を許可する
ことを特徴とする情報処理装置。
【請求項２】
前記情報は、画像および音声のうちの少なくともいずれか１つである
ことを特徴とする請求項１に記載の情報処理装置。
【請求項３】
前記入力手段は、被写体像を撮像する撮像手段である
ことを特徴とする請求項１または２に記載の情報処理装置。
【請求項４】
前記第１の操作受付手段はタッチタブレットである
ことを特徴とする請求項１乃至３のいずれかに記載の情報処理装置。
【請求項５】
前記入力手段により入力された情報を表示する表示手段をさらに備え、
前記第１の操作受付手段は前記表示手段と重なって配置されている
ことを特徴とする請求項１乃至４のいずれかに記載の情報処理装置。
【請求項６】
情報を入力する入力手段と、情報を入力する入力手段と、前記入力手段によって入力された前記情報を記憶する記憶手段と、前記入力手段に前記情報の入力を指示する操作を受け付ける操作面を有する第１の操作受付手段と、前記第１の操作受付手段の前記操作面を操作する操作指示手段と、前記第１の操作受付手段の前記操作面が操作を受け付け可能か否かにかかわらず、前記入力手段による前記情報の入力を指示するときに操作される第２の操作受付手段と、前記操作指示手段を収納する収納手段と、前記操作指示手段が前記収納手段に収納されているか否かを検出する検出手段とを備える情報処理装置で使用される制御プログラムであって、
前記第１の操作受付手段の前記操作面が操作を受け付け可能な状態で、前記検出手段により前記操作指示手段が前記収納手段に収納されていることが検出された場合、前記第１の操作受付手段の前記操作面が操作されても前記入力手段による前記情報の入力を禁止し、前記第２の操作受付手段が操作される際は前記入力手段による前記情報の入力を許可させ、
前記検出手段により前記操作指示手段が前記収納手段に収納されていないことが検出された場合、前記第２の操作受付手段が操作されても前記入力手段による前記情報の入力を禁止し、前記第１の操作受付手段の前記操作面が操作される際は前記入力手段による前記情報の入力を許可されるように制御する制御プログラムを
記録したことを特徴とする記録媒体。
【発明の詳細な説明】
【０００１】
【発明の属する技術分野】
本発明は、情報処理装置および記録媒体に関する。
【０００２】
【従来の技術】
電子回路の進歩に伴い、光電変換素子を利用し、撮影した画像を電気的に処理し、記録する電子カメラが普及している。このような電子カメラは、液晶ディスプレイ（ＬＣＤ）を有していることが多い。ＬＣＤは、撮影時においてユーザに画像を呈示する所謂電子ビューファインダとして利用されるほか、撮影した画像を表示するときにも利用される。
【０００３】
さらに、手書きによる線画情報を入力するための所謂タッチタブレットなどの装置を有し、タッチタブレットをペンで操作することにより、画像の撮影を指示できるようにしたものもある。また、このペンを電子カメラに収納できるようにしたものもある。
【０００４】
【発明が解決しようとする課題】
しかしながら、ペンを電子カメラに収納した状態で、タッチタブレットが押されると、誤って撮影動作を行う場合がある課題があった。
【０００５】
本発明の目的は、誤動作を抑制することができる情報処理装置および記録媒体を提供することである。
【０００６】
【課題を解決するための手段】
請求項１に記載の情報処理装置は、情報を入力する入力手段（例えば、図４のＣＣＤ２０）と、入力手段によって入力された情報を記憶する記憶手段（例えば、図４のメモリカード２４）と、入力手段に情報の入力を指示する操作を受け付ける操作面を有する第１の操作受付手段（例えば、図２のタッチタブレット６Ａ）と、第１の操作受付手段の操作面を操作する操作指示手段（例えば、図４のペン４１）と、第１の操作受付手段の操作面が操作を受け付け可能か否かにかかわらず、入力手段による情報の入力を指示するときに操作される第２の操作受付手段（例えば、図１のレリーズスイッチ１０）と、操作指示手段を収納する収納手段（例えば、図１の筐体１００）と、操作指示が収納手段に収納されているか否かを検出する検出手段（例えば、図４のスイッチ５１）と、入力手段、記憶手段、第１の操作受付手段、第２の操作受付手段、および検出手段を制御する制御手段（例えば、図９のＣＰＵ３９）とを設けるようにし、第１の操作受付手段の操作面が操作を受け付け可能な状態で、制御手段は、検出手段により操作指示手段が収納手段に収納されていることが検出された場合、第１の操作受付手段の操作面が操作されても入力手段による情報の入力を禁止し、第２の操作受付手段が操作される際は入力手段による情報の入力を許可し、検出手段により操作指示手段が収納手段に収納されていないことが検出された場合、第２の操作受付手段が操作されても入力手段による情報の入力を禁止し、第１の操作受付手段の操作面が操作される際は入力手段による情報の入力を許可することを特徴とする。
【００１０】
情報は、画像および音声のうちの少なくともいずれか１つであるようにすることができる。
【００１１】
入力手段は、被写体像を撮像する撮像手段（例えば、図４のＣＣＤ２０）とすることができる。
【００１２】
第１の操作手段はタッチタブレット（例えば、図２のタッチタブレット６Ａ）とすることができる。
【００１３】
入力手段により入力された情報を表示する表示手段（例えば、図２のＬＣＤ６）をさらに設け、第１の操作手段を表示手段と重なって配置させることができる。
【００１４】
請求項６に記載の記録媒体は、情報を入力する入力手段と、情報を入力する入力手段と、入力手段によって入力された情報を記憶する記憶手段と、入力手段に情報の入力を指示する操作を受け付ける操作面を有する第１の操作受付手段と、第１の操作受付手段の操作面を操作する操作指示手段と、第１の操作受付手段の操作面が操作を受け付け可能か否かにかかわらず、入力手段による情報の入力を指示するときに操作される第２の操作受付手段と、操作指示手段を収納する収納手段と、操作指示手段が収納手段に収納されているか否かを検出する検出手段とを備える情報処理装置で使用される制御プログラムであって、第１の操作受付手段の操作面が操作を受け付け可能な状態で、検出手段により操作指示手段が収納手段に収納されていることが検出された場合、第１の操作受付手段の操作面が操作されても入力手段による情報の入力を禁止し、第２の操作受付手段が操作される際は入力手段による情報の入力を許可させ、検出手段により操作指示手段が収納手段に収納されていないことが検出された場合、第２の操作受付手段が操作されても入力手段による情報の入力を禁止し、第１の操作受付手段の操作面が操作される際は入力手段による情報の入力を許可されるように制御する制御プログラムを記録したことを特徴とする。
【００１６】
請求項１に記載の情報処理装置においては、第１の操作受付手段の操作面が操作を受け付け可能な状態で、制御手段は、検出手段により操作指示手段が収納手段に収納されていることが検出された場合、第１の操作受付手段の操作面が操作されても入力手段による情報の入力を禁止し、第２の操作受付手段が操作される際は入力手段による情報の入力を許可させ、検出手段により操作指示手段が収納手段に収納されていないことが検出された場合、第２の操作受付手段が操作されても入力手段による情報の入力を禁止し、第１の操作受付手段の操作面が操作される際は入力手段による情報の入力が許可されるように制御する。
【００１７】
請求項６に記載の記録媒体においては、第１の操作受付手段の操作面が操作を受け付け可能な状態で、検出手段により操作指示手段が収納手段に収納されていることが検出された場合、第１の操作受付手段の操作面が操作されても入力手段による情報の入力を禁止し、第２の操作受付手段が操作される際は入力手段による情報の入力を許可させ、検出手段により操作指示手段が収納手段に収納されていないことが検出された場合、第２の操作受付手段が操作されても入力手段による情報の入力を禁止し、第１の操作受付手段の操作面が操作される際は入力手段による情報の入力が許可されるように制御する。
【００１９】
【発明の実施の形態】
以下、本発明の実施の形態を図面を参照して説明する。
【００２０】
図１および図２は、本発明を適用した電子カメラの一実施の形態の構成例を示す斜視図である。本実施の形態の電子カメラにおいては、被写体を撮影する場合において、被写体に向けられる面が面Ｘ１とされ、ユーザ側に向けられる面が面Ｘ２とされている。面Ｘ１の上端部には、被写体の撮影範囲の確認に用いられるファインダ２、被写体の光画像を取り込む撮影レンズ３、および被写体を照明する光を発光する発光部（ストロボ）４が設けられている。
【００２１】
さらに、面Ｘ１には、ストロボ４を発光させて撮影を行うときに、ストロボ４を発光させる前に発光させて赤目を軽減する赤目軽減ＬＥＤ１５、ＣＣＤ２０（図４）の動作を停止させているときに測光を行う測光素子１６、および、ＣＣＤ２０の動作を停止させているときに測色を行う測色素子１７が設けられている。
【００２２】
一方、面Ｘ１に対向する面Ｘ２の上端部（面Ｘ１のファインダ２、撮影レンズ３、発光部４が形成されている上端部に対応する位置）には、上記ファインダ２、およびこの電子カメラ１に記録されている音声を出力するスピーカ５が設けられている。また、面Ｘ２に形成されているＬＣＤ６および操作キー７は、ファインダ２、撮影レンズ３、発光部４およびスピーカ５よりも、鉛直下側に形成されている。ＬＣＤ６の表面上には、後述するペン型指示装置の接触操作により、指示された位置に対応する位置データを出力する、いわゆるタッチタブレット６Ａが配置されている。
【００２３】
このタッチタブレット６Ａは、ガラス、樹脂等の透明な材料によって構成されており、ユーザは、タッチタブレット６Ａの内側に形成されているＬＣＤ６に表示される画像を、タッチタブレット６Ａを介して観察することができる。
【００２４】
操作キー７は、ＬＣＤ６に記録データを再生表示する場合などに操作されるキーであり、ユーザによる操作（入力）を検知し、ＣＰＵ（central processing unit）３９（図９）に供給するようになされている。
【００２５】
操作キー７のうちのメニューキー７Ａは、ＬＣＤ６上にメニュー画面を表示する場合に操作されるキーである。実行キー７Ｂは、再生モードにおいては、ユーザによって選択された記録情報を再生するとき、記録モードにおいては、撮影を行うとき操作されるキーである。
【００２６】
キャンセルキー７Ｃは、記録情報の再生処理を中断する場合に操作されるキーである。デリートキー７Ｄは、記録した情報を削除する場合に操作されるキーである。スクロールキー７Ｅ乃至７Ｈは、ＬＣＤ６に記録情報の一覧が表示されている場合において、画面を上下方向にスクロールさせるときに操作されるキーである。
【００２７】
面Ｘ２には、ＬＣＤ６を使用していないときに保護する、摺動自在なＬＣＤカバー１４が設けられている。ＬＣＤカバー１４は、鉛直上方向に移動させた場合、図３に示すように、ＬＣＤ６およびタッチタブレット６Ａを覆うようになされている。また、ＬＣＤカバー１４を鉛直下方向に移動した場合、ＬＣＤ６およびタッチタブレット６Ａが現れるとともに、ＬＣＤカバー１４の腕部１４Ａによって、面Ｙ２に配置された電源スイッチ１１（後述）がオン状態に切り換えられるようになされている。
【００２８】
この電子カメラ１の上面である面Ｚ１には、音声を集音するマイクロホン８、および図示せぬイヤホンが接続されるイヤホンジャック９が設けられている。また、面Ｚ１に対向する面を面Ｚ２とする。
【００２９】
左側面（面Ｙ１）には、被写体を撮像するときに操作されるレリーズスイッチ１０と、撮影時の連写モードを切り換えるときに操作される連写モード切り換えスイッチ１３が設けられている。このレリーズスイッチ１０および連写モード切り換えスイッチ１３は、面Ｘ１の上端部に設けられているファインダ２、撮影レンズ３および発光部４よりも鉛直下側に配置されている。
【００３０】
一方、面Ｙ１に対向する面Ｙ２（右側面）には、音声を録音するときに操作される録音スイッチ１２と、電源スイッチ１１が設けられている。この録音スイッチ１２および電源スイッチ１１は、上記レリーズスイッチ１０および連写モード切り換えスイッチ１３と同様に、面Ｘ１の上端部に設けられているファインダ２、撮影レンズ３および発光部４よりも鉛直下側に配置されている。また、録音スイッチ１２は、面Ｙ１のレリーズスイッチ１０とほぼ同じ高さに形成されており、左右どちらの手で持っても、違和感のないように構成されている。
【００３１】
なお、録音スイッチ１２とレリーズスイッチ１０の高さを、あえて異ならせることにより、一方のスイッチを押す場合に、この押圧力によるモーメントを打ち消すために反対側の側面を指で保持したとき、誤ってこの反対側の側面に設けられたスイッチが押されてしまわないようにしてもよい。
【００３２】
上記連写モード切り換えスイッチ１３は、ユーザがレリーズスイッチ１０を押して被写体を撮影するとき、被写体を１コマだけ撮影するのか、または、所定の複数コマ撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われるようになされている。
【００３３】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０の押されている期間中、１秒間に８コマの撮影が行われるようになされている（すなわち、低速連写モードになる）。
【００３４】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０の押されている期間中、１秒間に３０コマの撮影が行われるようになされている（すなわち、高速連写モードになる）。
【００３５】
次に、電子カメラ１の内部の構成について説明する。図４は、図１および図２に示す電子カメラの内部の構成例を示す斜視図である。ＣＣＤ２０は、撮影レンズ３の後段（面Ｘ２側）に設けられており、撮影レンズ３を介して結像する被写体の光画像を電気信号に光電変換するようになされている。
【００３６】
ファインダ内表示素子２６は、ファインダ２の視野内に配置され、ファインダ２を介して被写体を視ているユーザに対して、各種機能の設定状態などを表示するようになされている。
【００３７】
ＬＣＤ６の鉛直下側には、円柱形状の４本のバッテリ（単３の乾電池）２１が縦に並べられており、このバッテリ２１に蓄積されている電力が各部に供給されるようになされている。さらに、ＬＣＤ６の鉛直下側には、バッテリ２１とともに、発光部４に光を発光させるための電荷を蓄積するコンデンサ２２が配置されている。
【００３８】
回路基板２３には、この電子カメラ１の各部を制御する、種々の制御回路が形成されている。また、回路基板２３と、ＬＣＤ６およびバッテリ２１の間には、挿抜可能なメモリカード２４が設けられており、この電子カメラ１に入力される各種の情報が、それぞれ、メモリカード２４の予め設定されている領域に記録されるようになされている。
【００３９】
さらに、電源スイッチ１１に隣接して配置されているＬＣＤスイッチ２５は、その突起部が押圧されている間のみオン状態となるスイッチであり、ＬＣＤカバー１４を鉛直下方向に移動させた場合、図５（ａ）に示すように、ＬＣＤカバー１４の腕部１４Ａによって、電源スイッチ１１とともにオン状態に切り換えられるようになされている。
【００４０】
なお、ＬＣＤカバー１４が鉛直上方向に位置する場合、電源スイッチ１１は、ＬＣＤスイッチ２５とは独立に、ユーザによって操作される。例えば、ＬＣＤカバー１４が閉じられ、電子カメラ１が使用されていない場合、図５（ｂ）に示すように、電源スイッチ１１およびＬＣＤスイッチ２５がオフ状態になっている。この状態において、ユーザが電源スイッチ１１を図５（ｃ）に示すように、オン状態に切り換えると、電源スイッチ１１はオン状態となるが、ＬＣＤスイッチ２５は、オフ状態のままである。一方、図５（ｂ）に示すように、電源スイッチ１１およびＬＣＤスイッチ２５がオフ状態になっているとき、ＬＣＤカバー１４が開かれると、図５（ａ）に示すように、電源スイッチ１１およびＬＣＤスイッチ２５がオン状態となる。そして、この後、ＬＣＤカバー１４を閉じると、ＬＣＤスイッチ２５だけが、図５（ｃ）に示すように、オフ状態となる。
【００４１】
また、図６、図７に示すように、電子カメラ１は、ペン４１を電子カメラ１の筐体１００内に収納することができるようになされている。図６は、電子カメラ１の底面図である。同図に示すように、ペン４１は、電子カメラ１の底部から挿入することができるようになされている。また、図７は、ペン４１が電子カメラ１の筐体１００内に収納された様子を示す側面図である。
【００４２】
そして、図８（ａ）、図８（ｂ）に示すように、ペン４１を電子カメラ１の筐体１００内に収納すると、スイッチ５１がペン４１に押されてオンするようになされている。即ち、ペン４１が筺体１００内に完全に収納されていないとき（図８（ａ））、スイッチがオフとなり、ペン４１が筺体１００内に完全に収納されたとき（図８（ｂ））、スイッチ５１がオンとなる。従って、スイッチ５１のオン／オフの状態から、ペン４１が電子カメラ１の筐体１００内に収納されているか否かを検出することができる。
【００４３】
なお、本実施の形態においては、メモリカード２４は挿抜可能とされているが、回路基板２３上にメモリを設け、そのメモリに各種情報を記録可能とするようにしてもよい。また、メモリ（メモリカード２４）に記録されている各種情報を、図示せぬインタフェースを介して外部のパーソナルコンピュータ等に出力することができるようにしてもよい。
【００４４】
次に、本実施の形態の電子カメラ１の内部の電気的構成例を、図９のブロック図を参照して説明する。複数の画素を備えているＣＣＤ２０は、各画素に結像した光画像を画像信号（電気信号）に光電変換するようになされている。デジタルシグナルプロセッサ（以下、ＤＳＰという）３３は、ＣＣＤ２０にＣＣＤ水平駆動パルスを供給するとともに、ＣＣＤ駆動回路３４を制御し、ＣＣＤ２０にＣＣＤ垂直駆動パルスを供給させるようになされている。
【００４５】
画像処理部３１は、ＣＰＵ３９に制御され、ＣＣＤ２０が光電変換した画像信号を所定のタイミングでサンプリングし、そのサンプリングした信号を、所定のレベルに増幅するようになされている。ＣＰＵ３９は、ＲＯＭ（read only memory）４３に記憶されている制御プログラムに従って、各部を制御するようになされている。アナログ／デジタル変換回路（以下、Ａ／Ｄ変換回路という）３２は、画像処理部３１でサンプリングした画像信号をデジタル化してＤＳＰ３３に供給するようになされている。
【００４６】
ＤＳＰ３３は、バッファメモリ３６およびメモリカード２４に接続されるデータバスを制御し、Ａ／Ｄ変換回路３２より供給された画像データをバッファメモリ３６に一旦記憶させた後、バッファメモリ３６に記憶された画像データを読み出し、その画像データを、メモリカード２４に記録するようになされている。
【００４７】
また、ＤＳＰ３３は、Ａ／Ｄ変換回路３２より供給された画像データをフレームメモリ３５に記憶させ、ＬＣＤ６に表示させるとともに、メモリカード２４から撮影画像データを読み出し、その撮影画像データを伸張した後、伸張後の画像データをフレームメモリ３５に記憶させ、ＬＣＤ６に表示させるようになされている。
【００４８】
さらに、ＤＳＰ３３は、電子カメラ１の起動時において、ＣＣＤ２０の露光レベルが適正な値になるまで、露光時間（露出値）を調節しながら、ＣＣＤ２０を繰り返し動作させるようになされている。あるいは、ＤＳＰ３３が、最初に、測光回路５１を動作させ、測光素子１６により検出された受光レベルに対応して、ＣＣＤ２０の露光時間の初期値を算出するようにしてもよい。このようにすることにより、ＣＣＤ２０の露光時間の調節を短時間で行うことができる。
【００４９】
この他、ＤＳＰ３３は、画像データをメモリカード２４に記録したり、伸張後の画像データをバッファメモリ３６に記憶させる場合などにおけるデータ入出力のタイミング管理を行うようになされている。
【００５０】
バッファメモリ３６は、メモリカード２４に対するデータの入出力の速度と、ＣＰＵ３９やＤＳＰ３３などにおける処理速度の違いを緩和するために利用される。
【００５１】
マイクロホン８は、音声情報を入力し（音声を集音し）、その音声情報をＡ／ＤおよびＤ／Ａ変換回路４２に供給するようになされている。
【００５２】
Ａ／ＤおよびＤ／Ａ変換回路４２は、マイクロホン８により検出された音声に対応するアナログ信号をデジタル信号に変換した後、そのデジタル信号をＣＰＵ３９に供給するとともに、ＣＰＵ３９より供給された音声データをアナログ化し、アナログ化した音声信号をスピーカ５に出力するようになされている。
【００５３】
測光素子１６は、被写体およびその周囲の光量を測定し、その測定結果を測光回路５１に出力するようになされている。測光回路５１は、測光素子１６より供給された測光結果であるアナログ信号に対して所定の処理を施した後、デジタル信号に変換し、そのデジタル信号をＣＰＵ３９に出力するようになされている。
【００５４】
測色素子１７は、被写体およびその周囲の色温度を測定し、その測定結果を測色回路５２に出力するようになされている。測色回路５２は、測色素子１７より供給された測色結果であるアナログ信号に対して所定の処理を施した後、デジタル信号に変換し、そのデジタル信号をＣＰＵ３９に出力するようになされている。
【００５５】
タイマ４５は、時計回路を内蔵し、現在の時刻に対応するデータをＣＰＵ３９に出力するようになされている。
【００５６】
絞り駆動回路５３は、絞り５４の開口径を所定の値に設定するようになされている。絞り５４は、撮影レンズ３とＣＣＤ２０の間に配置され、撮影レンズ３からＣＣＤ２０に入射する光の開口を変更するようになされている。
【００５７】
ＣＰＵ３９は、ＬＣＤスイッチ２５からの信号に応じて、ＬＣＤカバー１４が開いているときにおいては、測光回路５１および測色回路５２の動作を停止させ、ＬＣＤカバー１４が閉じているときにおいては、測光回路５１および測色回路５２を動作させるとともに、レリーズスイッチ１０が半押し状態になるまで、ＣＣＤ２０の動作（例えば電子シャッタ動作）を停止させるようになされている。
【００５８】
ＣＰＵ３９は、ＣＣＤ２０の動作を停止させているとき、測光回路５１および測色回路５２を制御し、測光素子１６の測光結果を受け取るとともに、測色素子１７の測色結果を受け取るようになされている。
【００５９】
そして、ＣＰＵ３９は、所定のテーブルを参照して、測色回路５２より供給された色温度に対応するホワイトバランス調整値を算出し、そのホワイトバランス調整値を画像処理部３１に供給するようになされている。
【００６０】
即ち、ＬＣＤカバー１４が閉じているときにおいては、ＬＣＤ６が電子ビューファインダとして使用されないので、ＣＣＤ２０の動作を停止させるようにする。ＣＣＤ２０は多くの電力を消費するので、このようにＣＣＤ２０の動作を停止させることにより、バッテリ２１の電力を節約することができる。
【００６１】
また、ＣＰＵ３９は、ＬＣＤカバー１４が閉じているとき、レリーズスイッチ１０が操作されるまで（レリーズスイッチ１０が半押し状態になるまで）、画像処理部３１が各種処理を行わないように、画像処理部３１を制御するようになされている。
【００６２】
さらに、ＣＰＵ３９は、ＬＣＤカバー１４が閉じているとき、レリーズスイッチ１０が操作されるまで（レリーズスイッチ１０が半押し状態になるまで）、絞り駆動回路５３が絞り５４の開口径を変更するなどの動作を行わないように、絞り駆動回路５３を制御するようになされている。
【００６３】
また、ＣＰＵ３９は、ストロボ駆動回路３７を制御して、ストロボ４を適宜発光させるようになされている他、赤目軽減ＬＥＤ駆動回路３８を制御して、ストロボ４を発光させる前に、赤目軽減ＬＥＤ１５を適宜発光させるようになされている。
【００６４】
なお、ＣＰＵ３９は、ＬＣＤカバー１４が開いているとき（即ち、電子ビューファインダが利用されているとき）においては、ストロボ４を発光させないようにすることができる。このようにすることにより、電子ビューファインダに表示されている画像の状態で、被写体を撮影することができる。
【００６５】
ＣＰＵ３９は、タイマ４５より供給される日時データに従って、撮影した日時の情報を画像データのヘッダ情報として、メモリカード２４の撮影画像記録領域に記録するようになされている。（すなわち、メモリカード２４の撮影画像記録領域に記録される撮影画像データには、撮影日時のデータが付随している）。
【００６６】
また、ＣＰＵ３９は、デジタル化された音声情報を圧縮した後、デジタル化および圧縮化された音声データを一旦、バッファメモリ３６に記憶させた後、メモリカード２４の所定の領域（音声記録領域）に記録するようになされている。また、このとき、メモリカード２４の音声記録領域には、録音日時のデータが音声データのヘッダ情報として記録されるようになされている。
【００６７】
ＣＰＵ３９は、レンズ駆動回路３０を制御し、撮影レンズ３を移動させることにより、オートフォーカス動作を行う他、絞り駆動回路５３を制御して、撮影レンズ３とＣＣＤ２０の間に配置されている絞り５４の開口径を変更させるようになされている。
【００６８】
さらに、ＣＰＵ３９は、ファインダ内表示回路４０を制御して、各種動作における設定などをファインダ内表示素子２６に表示させるようになされている。
【００６９】
また、ＣＰＵ３９は、インタフェース（Ｉ／Ｆ）４８を介して、所定の外部装置（図示せず）と所定のデータの授受を行うようになされている。
【００７０】
また、ＣＰＵ３９は、操作キー７からの信号を受け取り、適宜処理するようになされている。
【００７１】
また、ＣＰＵ３９は、スイッチ５１からの信号により、ペン（ペン型指示部材）４１が電子カメラ１の筐体１００内に収納されているか否かを検出し、それに応じて、タッチタブレット６Ａやレリーズスイッチ１０が操作されたときの動作を制御するようになされている。
【００７２】
ユーザの操作するペン４１によってタッチタブレット６Ａの所定の位置が押圧されると、ＣＰＵ３９は、タッチタブレット６Ａの押圧された位置のＸ−Ｙ座標を読み取り、その座標データ（後述するメモ情報）を、バッファメモリ３６に蓄積させるようになされている。また、ＣＰＵ３９は、バッファメモリ３６に蓄積したメモ情報を、メモ情報入力日時のヘッダ情報とともに、メモリカード２４のメモ情報記録領域に記録するようになされている。
【００７３】
次に、本実施の形態の電子カメラ１の各種動作について説明する。最初に、本装置のＬＣＤ６における電子ビューファインダ動作について説明する。
【００７４】
ユーザがレリーズスイッチ１０を半押し状態にすると、ＤＳＰ３３は、ＣＰＵ３９より供給される、ＬＣＤスイッチ２５の状態に対応する信号の値から、ＬＣＤカバー１４が開いているか否かを判断し、ＬＣＤカバー１４が閉じていると判断した場合、電子ビューファインダ動作を行わない。この場合、ＤＳＰ３３は、レリーズスイッチ１０が操作されるまで、処理を停止する。
【００７５】
なお、ＬＣＤカバー１４が閉じている場合、電子ビューファインダ動作を行わないので、ＣＰＵ３９は、ＣＣＤ２０、画像処理部３１、および、絞り駆動回路５３の動作を停止させる。そして、ＣＰＵ３９は、ＣＣＤ２０を停止させる代わりに、測光回路５１および測色回路５２を動作させ、それらの測定結果を、画像処理部３１に供給する。画像処理部３１は、それらの測定結果の値を、ホワイトバランス制御や輝度値の制御を行うときに利用する。
【００７６】
また、レリーズスイッチ１０が操作された場合、ＣＰＵ３９は、ＣＣＤ２０および絞り駆動回路５３の動作を行わせる。
【００７７】
一方、ＬＣＤカバー１４が開いている場合、ＣＣＤ２０は、所定の時間毎に、所定の露光時間で、電子シャッタ動作を行い、撮影レンズ３によって集光された被写体の光画像を光電変換し、その動作で得られた画像信号を画像処理部３１に出力する。
【００７８】
画像処理部３１は、ホワイトバランス制御および輝度値の制御を行い、その画像信号に対して所定の処理を施した後、画像信号をＡ／Ｄ変換回路３２に出力する。なお、ＣＣＤ２０が動作しているときは、画像処理部３１は、ＣＰＵ３９により、ＣＣＤ２０の出力を利用して算出された、ホワイトバランス制御および輝度値の制御に利用される調整値を利用する。
【００７９】
そして、Ａ／Ｄ変換回路３２は、その画像信号（アナログ信号）を、デジタル信号である画像データに変換し、その画像データをＤＳＰ３３に出力する。
【００８０】
ＤＳＰ３３は、その画像データをフレームメモリ３５に出力し、ＬＣＤ６にその画像データに対応する画像を表示させる。
【００８１】
このように、電子カメラ１においては、ＬＣＤカバー１４が開いている場合、所定の時間間隔で、ＣＣＤ２０が電子シャッタ動作し、その度に、ＣＣＤ２０から出力された信号を画像データに変換し、その画像データをフレームメモリ３５に出力して、ＬＣＤ６に被写体の画像を絶えず表示させることで、電子ビューファインダ動作を行う。
【００８２】
また、上述のように、ＬＣＤカバー１４が閉じている場合においては、電子ビューファインダ動作を行わず、ＣＣＤ２０、画像処理部３１、および、絞り駆動回路５３の動作を停止させ、消費電力を節約している。
【００８３】
次に、本装置による被写体の撮影について説明する。
【００８４】
第１に、面Ｙ１に設けられている連写モード切り換えスイッチ１３が、Ｓモード（１コマだけ撮影を行うモード）に切り換えられている場合について説明する。最初に、図１に示す電源スイッチ１１を「ＯＮ」と印刷されている側に切り換えて電子カメラ１に電源を投入する。ファインダ２で被写体を確認し、面Ｙ１に設けられているレリーズスイッチ１０を押すと、被写体の撮影処理が開始される。
【００８５】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００８６】
まず、ファインダ２で観察される被写体の光画像が撮影レンズ３によって集光され、複数の画素を備えるＣＣＤ２０に結像する。次に、ＣＣＤ２０に結像した被写体の光画像は、各画素で画像信号に光電変換され、画像処理部３１によってサンプリングされる。画像処理部３１によってサンプリングされた画像信号は、Ａ／Ｄ変換回路３２に供給され、そこでデジタル化されてＤＳＰ３３に出力される。
【００８７】
ＤＳＰ３３は、その画像データをバッファメモリ３６に一旦出力した後、バッファメモリ３６より、その画像データを読み出し、離散的コサイン変換、量子化およびハフマン符号化を組み合わせたＪＰＥＧ（Joint Photographic Experts Group）方式に従って圧縮し、メモリカード２４の撮影画像記録領域に記録させる。このとき、メモリカード２４の撮影画像記録領域には、撮影日時のデータが、撮影画像データのヘッダ情報として記録される。
【００８８】
なお、連写モード切り換えスイッチ１３がＳモードに切り換えられている場合においては、１コマの撮影だけが行われ、レリーズスイッチ１０が継続して押されても、それ以降の撮影は行われない。また、レリーズスイッチ１０が継続して押されると、ＬＣＤカバー１４が開いている場合、ＬＣＤ６に、撮影した画像が表示される。
【００８９】
第２に、連写モード切り換えスイッチ１３がＬモード（１秒間に８コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００９０】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００９１】
ファインダ２で観察される被写体の光画像は、撮影レンズ３によって集光され、複数の画素を備えるＣＣＤ２０に結像する。ＣＣＤ２０に結像した被写体の光画像は、各画素で画像信号に光電変換され、画像処理部３１によって１秒間に８回の割合でサンプリングされる。また、このとき、画像処理部３１は、ＣＣＤ２０の全画素の画像電気信号のうち４分の３の画素を間引く。
【００９２】
すなわち、画像処理部３１は、マトリクス状に配列されているＣＣＤ２０の画素を、図１０に示すように、２×２画素（４つの画素）を１つとする領域に分割し、その１つの領域から、所定の位置に配置されている１画素の画像信号をサンプリングし、残りの３画素を間引く。
【００９３】
例えば、第１回目のサンプリング時（１コマ目）においては、各領域の左上の画素ａがサンプリングされ、その他の画素ｂ，ｃ，ｄが間引かれる。第２回目のサンプリング時（２コマ目）においては、各領域の右上の画素ｂがサンプリングされ、その他の画素ａ，ｃ，ｄが間引かれる。以下、第３回目、第４回目のサンプリング時においては、左下の画素ｃ、右下の画素ｄが、それぞれ、サンプリングされ、その他の画素が間引かれる。つまり、４コマ毎に各画素がサンプリングされる。
【００９４】
画像処理部３１によってサンプリングされた画像信号（ＣＣＤ２０の全画素中の４分の１の画素の画像信号）は、Ａ／Ｄ変換回路３２に供給され、そこでデジタル化されてＤＳＰ３３に出力される。
【００９５】
ＤＳＰ３３は、デジタル化された画像信号をバッファメモリ３６に一旦出力した後、その画像信号を読み出し、ＪＰＥＧ方式に従って圧縮した後、デジタル化および圧縮処理された撮影画像データを、メモリカード２４の撮影画像記録領域に記録する。このとき、メモリカード２４の撮影画像記録領域には、撮影日時のデータが、撮影画像データのヘッダ情報として記録される。
【００９６】
第３に、連写モード切り換えスイッチ１３がＨモード（１秒間に３０コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００９７】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００９８】
ファインダ２で観察される被写体の光画像が撮影レンズ３によって集光され、ＣＣＤ２０に結像する。複数の画素を備えるＣＣＤ２０に結像した被写体の光画像は、各画素で画像信号に光電変換され、画像処理部３１によって１秒間に３０回の割合でサンプリングされる。また、このとき、画像処理部３１は、ＣＣＤ２０の全画素の画像電気信号のうち９分の８の画素を間引く。
【００９９】
すなわち、画像処理部３１は、マトリクス状に配列されているＣＣＤ２０の画素を、図１１に示すように、３×３画素を１つとする領域に分割し、その１つの領域から、所定の位置に配置されている１画素の画像電気信号を、１秒間に３０回の割合でサンプリングし、残りの８画素を間引く。
【０１００】
例えば、第１回目のサンプリング時（１コマ目）においては、各領域の左上の画素ａがサンプリングされ、その他の画素ｂ乃至ｉが間引かれる。第２回目のサンプリング時（２コマ目）においては、画素ａの右側に配置されている画素ｂがサンプリングされ、その他の画素ａ，ｃ乃至ｉが間引かれる。以下、第３回目以降のサンプリング時においては、画素ｃ、画素ｄ・・・が、それぞれ、サンプリングされ、その他の画素が間引かれる。つまり、９コマ毎に各画素がサンプリングされる。
【０１０１】
画像処理部３１によってサンプリングされた画像信号（ＣＣＤ２０の全画素中の９分の１の画素の画像信号）は、Ａ／Ｄ変換回路３２に供給され、そこでデジタル化されてＤＳＰ３３に出力される。
【０１０２】
ＤＳＰ３３は、デジタル化された画像信号をバッファメモリ３６に一旦出力した後、その画像信号を読み出し、ＪＰＥＧ方式に従って圧縮した後、デジタル化および圧縮処理された撮影画像データを、撮影日時のヘッダ情報を付随して、メモリカード２４の撮影画像記録領域に記録する。
【０１０３】
なお、必要に応じて、ストロボ４を動作させ、被写体に光を照射させることもできる。ただし、ＬＣＤカバー１４が開いているとき、即ち、ＬＣＤ６が電子ビューファインダ動作を行っているとき、ＣＰＵ３９は、ストロボ４を、発光させないように制御することができる。
【０１０４】
上述したように、レリーズスイッチ１０を押すことにより撮影する方法の他に、タッチタブレット６Ａの実行キー７Ｂをペン４１等を用いて押圧することにより撮影を行う方法がある。
【０１０５】
この方法の場合、まず、操作キー７のメニューキー７Ａを例えばペン４１で押圧し、図１２に示すメインメニュー画面をＬＣＤ６に表示させる。メインメニュー画面は、例えば、青色のメインメニュー背景６１と、その上に表示される例えば白色のメニューアイテム６２で構成されている。図１２においては、画像、音声などを記録するモードに切り換えるとき押圧される「記録」６２Ａ、記録されている画像、音声などを再生するモードに切り換えるとき押圧される「再生」６２Ｂ、記録されている複数の画像、音声などを連続的に再生するモードに切り換えるとき押圧される「連続再生」６２Ｃ、および各種動作の設定を行うモードに切り換えるとき押圧される「設定」６２Ｄの４つのメニューアイテム６２が表示される。
【０１０６】
次に、この状態で、メニューアイテム６２のうちの「記録」６２Ａを押圧して記録モードに切り換える。記録モードに切り換わると、図１３に示すように、ＬＣＤ６には、電子ビューファインダ表示が行われ、ＬＣＤ６のうちの画像表示領域９１に撮影レンズ３を介してＣＣＤ２０により受光された被写体の画像が表示される。
【０１０７】
このとき、電子カメラ１の各種機能を設定する設定アイコン９３およびバッテリ２１の残量を表示する表示アイコン９４が、ＬＣＤ６の下辺側のモード設定領域９２に表示される。これらの設定アイコン９３を押圧することにより、各種機能の設定を行うことができる。また、これらのアイコン９３，９４は、それぞれ対応する機能の状態によって、その図柄などが変化するようになされている。例えば、セルフタイマがオンに設定されている場合、セルフタイマ設定アイコン９３Ａが点滅するようになされている。
【０１０８】
設定アイコン９３のうち、アイコン９３Ｂは、録音モードの設定状態を表し、その録音モードを変更するとき選択される。アイコン９３Ｃは、ストロボ４の発光モードの設定状態を表し、その発光モードを変更するとき選択される。アイコン９３Ｄは、記録される画像の画質の設定状態を表し、画質の設定を変更するとき選択される。アイコン９３Ｅは、撮影時の撮影モードの設定状態を表し、その撮影モードを変更するとき選択される。アイコン９３Ｆは、アイコン９３Ａ乃至９３Ｅ、およびアイコン９４を表示するか否かを設定するときに選択される。
【０１０９】
ユーザは、これらのアイコン９３，９４を確認することにより、各機能の設定状況を知ることができる。
【０１１０】
また、撮影モードがマクロ（近接撮影）に設定されている場合、電子ビューファインダ画面の所定の位置にマクロ設定アイコン９５が表示される。
【０１１１】
以上のようにして、記録モードに切り換えた後、電子ビューファインダ画面がＬＣＤ６に表示されているとき、操作キー７のうちの実行キー７Ｂを例えばペン４１で押圧することにより、録画動作を行わせることができる。即ち、電子ビューファインダ画面に表示されている画像に対応する画像データをメモリカード２４に記録することができる。
【０１１２】
電子カメラ１のモードが記録モードに切り換えられているとき、レリーズスイッチ１０およびタッチタブレット６Ａのいずれを用いても、撮影を行うことができる。しかしながら、ペン４１が電子カメラ１の筐体１００内に収納されている場合、タッチタブレット６Ａが誤って押圧されると、録画動作が行われてしまう。そこで、ペン４１が筺体１００内に収納されているときは、タッチタブレット６Ａが押圧されても録画動作が行われないようにする。
【０１１３】
以下、図１４のフローチャートを参照して、その場合の動作手順について説明する。最初に、ステップＳ１において、レリーズスイッチ１０が押されたか否かが判定される。ステップＳ１において、レリーズスイッチ１０が押されていないと判定された場合、ステップＳ２に進み、ペン４１が電子カメラ１の筐体１００内に収納されているか否かが判定される。ペン４１が電子カメラ１の筐体１００内に収納されていると判定された場合、ステップＳ１に戻り、ステップＳ１移行の処理が繰り返し実行される。
【０１１４】
ステップＳ２において、ペン４１が電子カメラ１の筐体１００内に収納されていないと判定された場合、ステップＳ３に進み、タッチタブレット６Ａが押されたか否かが判定される。タッチタブレット６Ａが押されていないと判定された場合、ステップＳ１に戻り、ステップＳ１移行の処理が繰り返し実行される。ステップＳ３において、タッチタブレット６Ａが押されたと判定された場合、または、ステップＳ１において、レリーズスイッチ１０が押されたと判定された場合、ステップＳ４に進み、録画動作が行われる。その後、ステップＳ１に戻り、ステップＳ１以降の処理が繰り返し実行される。
【０１１５】
このように、ペン４１が電子カメラ１の筐体１００内に収納されている場合、タッチタブレット６Ａが押されても、録画動作が行われないようにすることができる。
【０１１６】
次に、図１５のフローチャートを参照して、他の動作手順について説明する。最初に、ステップＳ１１において、ペン４１が電子カメラ１の筐体１００内に収納されているか否かが判定される。ペン４１が電子カメラ１の筐体１００内に収納されていると判定された場合、ステップＳ１２に進み、レリーズスイッチ１０が押されたか否かが判定される。レリーズスイッチ１０が押されていないと判定された場合、ステップＳ１１に戻り、ステップＳ１１以降の処理が繰り返し実行される。
【０１１７】
ステップＳ１２において、レリーズスイッチ１０が押されたと判定された場合、ステップＳ１４に進み、録画動作が行われる。その後、ステップＳ１１に戻り、ステップＳ１１以降の処理が繰り返し実行される。
【０１１８】
一方、ステップＳ１１において、ペン４１が電子カメラ１の筐体１００内に収納されていないと判定された場合、ステップＳ１３に進み、タッチタブレット６Ａが押されたか否かが判定される。タッチタブレット６Ａが押されていないと判定された場合、ステップＳ１１に戻り、ステップＳ１１以降の処理が繰り返し実行される。
【０１１９】
一方、タッチタブレット６Ａが押されたと判定された場合、ステップＳ１４に進み、録画動作が行われる。その後、ステップＳ１１に戻り、ステップＳ１１以降の処理が繰り返し実行される。
【０１２０】
このように、ペン４１が電子カメラ１の筐体１００内に収納されていない場合、タッチタブレット６Ａが押されたときのみ、録画動作が行われるようにし、ペン４１が電子カメラ１の筐体１００内に収納されている場合、レリーズスイッチ１０が押されたときのみ、録画動作が行われるようにすることができる。
【０１２１】
次に、タッチタブレット６Ａから２次元の情報（ペン入力情報）を入力する場合の動作について説明する。
【０１２２】
タッチタブレット６Ａがペン４１のペン先で押圧されると、接触した箇所のＸ−Ｙ座標が、ＣＰＵ３９に入力される。このＸ−Ｙ座標は、バッファメモリ３６に記憶される。また、フレームメモリ３５における上記Ｘ−Ｙ座標の各点に対応した箇所にデータを書き込み、ＬＣＤ６における上記Ｘ−Ｙ座標に、ペン４１の接触に対応したメモを表示させることができる。
【０１２３】
上述したように、タッチタブレット６Ａは、透明部材によって構成されているので、ユーザは、ＬＣＤ６上に表示される点（ペン４１のペン先で押圧された位置の点）を観察することができ、あたかもＬＣＤ６上に直接ペン入力をしたかのように感じることができる。また、ペン４１をタッチタブレット６Ａ上で移動させると、ＬＣＤ６上には、ペン４１の移動に伴う線が表示される。さらに、ペン４１をタッチタブレット６Ａ上で断続的に移動させると、ＬＣＤ６上には、ペン４１の移動に伴う破線が表示される。以上のようにして、ユーザは、タッチタブレット６Ａ（ＬＣＤ６）に所望の文字、図形等のメモ情報を入力する。
【０１２４】
また、ＬＣＤ６上に撮影画像が表示されている場合において、ペン４１によってメモ情報が入力されると、このメモ情報が、撮影画像情報とともに、フレームメモリ３５で合成され、ＬＣＤ６上に同時に表示される。
【０１２５】
なお、ユーザは、所定の色選択スイッチを操作することにより、ＬＣＤ６上に表示されるメモの色を、黒、白、赤、青等の色から選択することができる。
【０１２６】
ペン４１によるタッチタブレット６Ａへのメモ情報の入力後、操作キー７の実行キー７Ｂが押されると、バッファメモリ３６に蓄積されているメモ情報が、入力日時のヘッダ情報とともにメモリカード２４に供給され、メモリカード２４のメモ情報記録領域に記録される。
【０１２７】
なお、メモリカード２４に記録されるメモ情報は、圧縮処理の施された情報である。タッチタブレット６Ａに入力されたメモ情報は空間周波数成分の高い情報を多く含んでいるので、上記撮影画像の圧縮に用いられるＪＰＥＧ方式によって圧縮処理を行うと、圧縮効率が悪く情報量が小さくならず、圧縮および伸張に必要とされる時間が長くなってしまう。さらに、ＪＰＥＧ方式による圧縮は、非可逆圧縮であるので、情報量の少ないメモ情報の圧縮には適していない（伸張してＬＣＤ６上に表示した場合、情報の欠落に伴うギャザ、にじみが際だってしまうため）。
【０１２８】
そこで、本実施の形態においては、ファックス等において用いられるランレングス法によって、メモ情報を圧縮するようにしている。ランレングス法とは、メモ画面を水平方向に走査し、黒、白、赤、青等の各色の情報（点）の継続する長さ、および無情報（ペン入力のない部分）の継続する長さを符号化することにより、メモ情報を圧縮する方法である。
【０１２９】
このランレングス法を用いることにより、メモ情報を最小に圧縮することができ、また、圧縮されたメモ情報を伸張した場合においても、情報の欠落を抑制することが可能になる。なお、メモ情報は、その情報量が比較的少ない場合には、圧縮しないようにすることもできる。
【０１３０】
また、上述したように、ＬＣＤ６上に撮影画像が表示されている場合において、ペン入力を行うと、撮影画像データとペン入力のメモ情報がフレームメモリ３５で合成され、撮影画像とメモの合成画像がＬＣＤ６上に表示される。その一方で、メモリカード２４においては、撮影画像データは、撮影画像記録領域に記録され、メモ情報は、メモ情報記録領域に記録される。このように、２つの情報が、各々異なる領域に記録されるので、ユーザは、撮影画像とメモの合成画像から、いずれか一方の画像（例えばメモ）を削除することができ、さらに、各々の画像情報を個別の圧縮方法で圧縮することもできる。
【０１３１】
メモリカード２４の音声記録領域、撮影画像記録領域、またはメモ情報記録領域にデータを記録した場合、図１６に示すように、ＬＣＤ６にその一覧表を表示させることができる。
【０１３２】
図１６に示すＬＣＤ６の表示画面上においては、情報を記録した時点の年月日（記録年月日）（この場合、１９９６年１１月１日）が画面の上端部に表示され、その記録年月日に記録された情報の番号と記録時刻が画面の左側に表示されている。
【０１３３】
記録時刻の右側には、サムネイル画像が表示されている。このサムネイル画像は、メモリカード２４に記録された撮影画像データの各画像データのビットマップデータを間引いて（縮小して）作成されたものである。この表示のある情報は、撮影画像情報を含む情報である。つまり、「１０時１６分」、および「１０時２１分」に記録（入力）された情報には、撮影画像情報が含まれており、それ以外の時間に記録された情報には画像情報が含まれていない。
【０１３４】
また、メモアイコン「□」は、線画情報として所定のメモが記録されていることを表している。
【０１３５】
サムネイル画像の表示領域の右側には、音声アイコン（音符）が表示され、その右隣りには録音時間（単位は秒）が表示されている（音声情報が入力されていない場合には、これらは表示されない）。
【０１３６】
ユーザは、図１６に示すように、ＬＣＤ６に表示された一覧表の中の所望の音声アイコンを、ペン４１のペン先で押圧して再生する情報を選択指定し、図２に示す実行キー７Ｂをペン４１のペン先で押圧することにより、選択した情報を再生する。
【０１３７】
例えば、図１６に示す「１０時１６分」の表示されている音声アイコンがペン４１によって押圧されると、ＣＰＵ３９は、選択された録音日時（１０時１６分）に対応する音声データをメモリカード２４から読み出し、その音声データを伸張した後、Ａ／ＤおよびＤ／Ａ変換回路４２に供給する。Ａ／ＤおよびＤ／Ａ変換回路４２は、供給された音声データをアナログ化した後、スピーカ５を介して再生する。
【０１３８】
メモリカード２４に記録した撮影画像データを再生する場合、ユーザは、所望のサムネイル画像を、ペン４１のペン先で押圧することによりその情報を選択し、実行キー７Ｂを押して選択した情報を再生させる。
【０１３９】
即ち、ＣＰＵ３９は、選択されたサムネイル画像の撮影日時に対応する撮影画像データをメモリカード２４から読み出すように、ＤＳＰ３３に指示する。ＤＳＰ３３は、メモリカード２４より読み出した上記撮影画像データ（圧縮されている撮影画像データ）を伸張し、この撮影画像データをビットマップデータとしてフレームメモリ３５に蓄積させ、ＬＣＤ６に表示させる。
【０１４０】
Ｓモードで撮影された画像は、ＬＣＤ６上に、静止画像として表示される。この静止画像は、ＣＣＤ２０の全ての画素の画像信号を再生したものであることはいうまでもない。
【０１４１】
Ｌモードで撮影された画像は、ＬＣＤ６上において、１秒間に８コマの割合で連続して表示される。このとき、各コマに表示される画素数は、ＣＣＤ２０の全画素数の４分の１である。
【０１４２】
通常、人間の目は、静止画像の解像度の劣化に対しては敏感に反応するため、静止画像の画素を間引くことは、ユーザに画質の劣化として捉えられてしまう。しかしながら、撮影時の連写速度が上がり、Ｌモードにおいて１秒間に８コマ撮影され、この画像が１秒間に８コマの速さで再生された場合においては、各コマの画素数がＣＣＤ２０の画素数の４分の１になるが、人間の目は１秒間に８コマの画像を観察するので、１秒間に人間の目に入る情報量は、静止画像の場合に比べて２倍になる。
【０１４３】
すなわち、Ｓモードで撮影された画像の１コマの画素数を１とすると、Ｌモードで撮影された画像の１コマの画素数は１／４となる。Ｓモードで撮影された画像（静止画像）がＬＣＤ６に表示された場合、１秒間に人間の目に入る情報量は１（＝（画素数１）×（コマ数１））となる。一方、Ｌモードで撮影された画像がＬＣＤ６に表示された場合、１秒間に人間の目に入る情報量は２（＝（画素数１／４）×（コマ数８））となる（すなわち、人間の目には、静止画像の２倍の情報が入る）。従って、１コマ中の画素の数を４分の１にしても、再生時において、ユーザは、画質の劣化をさほど気にすることなく再生画像を観察することができる。
【０１４４】
さらに、本実施の形態においては、各コマ毎に異なる画素をサンプリングし、そのサンプリングした画素をＬＣＤ６に表示するようにしているので、人間の目に残像効果が起こり、１コマ当たり４分の３画素を間引いたとしても、ユーザは、画質の劣化をさほど気にすることなくＬＣＤ６に表示されるＬモードで撮影された画像を観察することができる。
【０１４５】
また、Ｈモードで撮影された画像は、ＬＣＤ６上において、１秒間に３０コマの割合で連続して表示される。このとき、各コマに表示される画素数は、ＣＣＤ２０の全画素数の９分の１であるが、Ｌモードの場合と同様の理由で、ユーザは、画質の劣化をさほど気にすることなくＬＣＤ６に表示されるＨモードで撮影された画像を観察することができる。
【０１４６】
本実施の形態においては、ＬモードおよびＨモードで被写体を撮像する場合、画像処理部３１が、再生時における画質の劣化が気にならない程度にＣＣＤ２０の画素を間引くようにしているので、ＤＳＰ３３の負荷を低減することができ、ＤＳＰ３３を、低速度、低電力で作動させることができる。また、このことにより、装置の低コスト化および低消費電力化が可能になる。
【０１４７】
なお、必要に応じて、発光部４を動作させ、被写体に光を照射させることもできる。
【０１４８】
ところで、本実施例においては、上述したように、メモリカード２４に記録される各種の情報（データ）には、それぞれの情報が入力された日時のデータがヘッダ情報として付随されている。ユーザは、ＬＣＤ６上に表示される一覧表画面（図１６）から、所望の情報を選択して再生することができる。
【０１４９】
また、複数の情報（撮影画像、音声、線画）が同時に入力された場合、各々の情報は、記録カード２４の所定の領域に別個に記録されるが、その各々の情報には、互いに同一の日時のヘッダ情報が付随している。
【０１５０】
例えば、情報Ａ（撮影画像）、情報Ｂ（音声）、情報Ｃ（線画）が同時に入力された場合、メモリカード２４の所定の領域に記録される各情報Ａ，Ｂ，Ｃは、同一の入力日時のデータをヘッダ情報として各々備えるようにする。また、情報Ａのヘッダ情報を入力日時のデータとし、情報Ｂ及びＣのヘッダ情報を、情報Ａに関連する旨のデータとするようにしてもよい。
【０１５１】
以上のようにすることにより、同時に入力された複数の種類の情報が、再生時において、同時に再生されるようにすることができる。
【０１５２】
また、本実施例においては、第１の情報（例えば、撮影画像）を記録した後に、第１の情報と異なる第２の情報（例えば、線画（メモ））を、第１の情報に追加した形で記録させることもできる。このように、第１の情報に追加して、第２の情報を加える場合、第１の情報を再生した状態で、第２の情報を入力するようにする。以下に、この場合の詳細な説明をする。
【０１５３】
例えば、予め記録されている音声情報が再生されている場合において、レリーズスイッチ１０が押され、被写体の撮影処理が行われると、メモリカード２４の撮影画像記録領域に記録される撮影画像データには、その音声情報の記録が開始された日時のヘッダ情報が付随される。
【０１５４】
また、例えば、１９９５年８月２５日１０時５分に記録が開始された音声情報の再生中において、再生開始から１分経過したとき（すなわち、再生データが１９９５年８月２５日１０時６分のデータになったとき）、撮影処理が行われると、メモリカード２４の撮影画像記録領域に記録される撮影画像データには、１９９５年８月２５日１０時６分のヘッダ情報が付随されるようにすることもできる（なお、開始時刻（１０時５分）をヘッダ情報とするようにしてもよいし、いずれか一方をデフォルトとして登録するようにしてもよい（その選択は、ユーザによってなされる））。
【０１５５】
同様に、予め記録されている音声情報が再生されている場合において、線画情報が入力されると、メモリカード２４の線画情報記録領域には、その線画情報とともに、音声情報の記録日時のヘッダ情報と同一のヘッダ情報が記録される。
【０１５６】
予め、同時に入力された音声情報及び撮影画像情報が再生されている場合において、線画情報が入力されると、メモリカード２４の線画情報記録領域には、その線画情報とともに、音声情報（または撮影画像情報）の記録日時のヘッダ情報と同一のヘッダ情報が記録される。
【０１５７】
予め、同時に入力された音声情報及び線画情報が再生されている場合において、撮影画像情報が入力されると、メモリカード２４の撮影画像記録領域には、その撮影画像データとともに、音声情報（または線画情報）の記録日時のヘッダ情報と同一のヘッダ情報が記録される。
【０１５８】
予め入力されている撮影画像が再生されている場合において、音声情報が入力されると、メモリカード２４の音声情報記録領域には、その音声データとともに、撮影画像の記録日時のヘッダ情報と同一のヘッダ情報が記録される。
【０１５９】
予め入力されている撮影画像が再生されている場合において、線画情報が入力されると、メモリカード２４の線画情報記録領域には、その線画情報とともに、撮影画像の記録日時のヘッダ情報と同一のヘッダ情報が記録される。
【０１６０】
予め、同時に入力された撮影画像情報及び線画情報が再生されている場合において、音声情報が入力されると、メモリカード２４の音声記録領域には、その音声データとともに、撮影画像情報（または線画情報）の記録日時のヘッダ情報と同一のヘッダ情報が記録される。
【０１６１】
予め入力されている線画情報が再生されている場合において、撮影画像情報が入力されると、メモリカード２４の撮影画像記録領域には、その撮影画像データとともに、線画情報の記録日時のヘッダ情報と同一のヘッダ情報が記録される。
【０１６２】
予め入力されている線画情報が再生されている場合において、音声情報が入力されると、メモリカード２４の音声記録領域には、その音声データとともに、線画情報の記録日時のヘッダ情報と同一のヘッダ情報が記録される。
【０１６３】
以上のように、予め記録されている第１の情報が再生されている場合において、第２の情報が入力されると、第１の情報の記録日時が第２の情報のヘッダ情報となる（以下、通常モードという）。このようにすることによって、後から情報を追加しても、元の情報と追加された情報の関係を保つことができる。
【０１６４】
さらに、本実施例においては、予め記録されている第１の情報に第２の情報を追加した場合、第２の情報の入力時刻を第２の情報のヘッダ情報として記録するだけでなく、第１の情報のヘッダ情報を、第２の情報のヘッダ情報で書き換えるようにしてもよい（以下、記録日時変更モードという）。このようにする場合、記録日時のモード切り換えスイッチ（図示せず）をさらに設け、ユーザの選択により記録日時の変更（通常モードと記録日時変更モードの切り換え）が行われるようにする。
【０１６５】
例えば、ユーザが、後日の特定の時刻に、特定の被写体を撮影することを予定しており、その撮影画像についてのコメントを予め線画情報として記録した場合（すなわち、線画情報が第１の情報）、上記の記録日時のモード切り換えスイッチを、記録日時変更モードに切り換え、記録した線画情報を再生しながら上記被写体を撮影する（すなわち、撮影画像が第２の情報）。すると、線画情報（第１の情報）及び撮影画像（第２の情報）の両方に、撮影画像（第２の情報）の入力日時がヘッダ情報として付随される。
【０１６６】
また、入力される情報に優先順位を付け、その優先順位に対応させて、各情報に入力時刻のヘッダ情報を付随させるようにしてもよい。
【０１６７】
例えば、撮影画像の優先順位を第１位とし、音声情報の優先順位を第２位とし、線画情報の優先順位を第３位とした場合、予め記録されている線画情報を再生させながら、音声情報を入力すると、メモリカード２４に記録される線画情報及び音声情報の両者には、音声情報の入力時刻を含むヘッダ情報が付随される（音声情報の優先順位が線画情報の優先順位よりも上位とされているため）。さらに、その音声情報及び線画情報を再生させながら、撮影画像を入力すると、メモリカード２４に記録される線画情報、音声情報、及び撮影画像には、撮影画像の入力時刻を含むヘッダ情報が付随される（撮影画像の優先順位が、他の情報の優先順位よりも上位とされているため）。この優先順位は、ユーザによって設定されるものとしてもよい。
【０１６８】
次に、被写体を撮影しているときに、音声を記録する場合について説明する。
【０１６９】
まず、連写モード切り換えスイッチ１３がＳモード（単写モード）に切り換えられている場合について説明する。最初に、録音スイッチ１２が押されると、音声情報の入力が行われ、メモリカード２４の音声情報記録領域には、音声データとともに、記録開始日時のヘッダ情報が記録される。そして、音声情報の入力中、レリーズスイッチ１０が押されると（Ｓモード）、被写体が１コマ撮影され、その撮影画像データがメモリカード２４に記録される。この撮影画像データには、レリーズスイッチ１０が押されたとき（撮影開始時）の日時のヘッダ情報が付随している。
【０１７０】
一方、最初に、レリーズボタン１０が押されると、被写体が１コマ撮影される。このとき、メモリカード２４に記録される撮影画像データには、撮影時の日時がヘッダ情報として記録される。さらに、レリーズボタン１０が継続して押されていると、撮影した画像が、ＬＣＤ６上に表示され、このとき、録音スイッチ１２が押されると、音声情報が入力される。このとき、メモリカード２４の音声情報記録領域に記録される音声データには、撮影したときの日時がヘッダ情報として付随される。
【０１７１】
次に、連写モード切り換えスイッチ１３が、ＬモードまたはＨモード（連写モード）に切り換えられている場合について説明する。最初に、レリーズスイッチ１０が押され、次に録音スイッチ１２が押された場合、及びレリーズスイッチ１０と録音スイッチ１２が同時に押された場合、撮影画像及び音声情報は、次に示すように記録される。
【０１７２】
連写モード切り換えスイッチ１３がＬモードに切り換えられている場合においては、１秒間に８コマの撮影が行われ、メモリカード２４の撮影画像記録領域に記録される各コマの撮影画像データには、各々が撮影された日時のヘッダ情報が付随される。従って、各コマのヘッダには、０．１２５秒間隔の日時が記録されることになる。また、このとき、音声情報は０．１２５秒毎に記録され（但し、継続して入力される）、メモリカード２４の音声情報記録領域に記録される音声データにも、０．１２５秒間隔の日時のヘッダ情報が記録される。
【０１７３】
同様に、連写モード切り換えスイッチ１３がＨモードに切り換えられている場合においては、１秒間に３０コマの撮影が行われ、メモリカード２４の撮影画像記録領域に記録される各コマの撮影画像データには、各々が撮影された日時のヘッダ情報が付随される。従って、各コマのヘッダには、１／３０秒間隔の日時が記録されることになる。また、このとき、音声情報は１／３０秒毎に記録され（但し、継続して入力される）、メモリカード２４の音声情報記録領域に記録される音声データにも、１／３０秒間隔の日時のヘッダ情報が記録される。
【０１７４】
以上のようにすることにより、記録後に撮影画像または音声を編集する場合、任意の撮影画像を除去すると、その撮影画像のヘッダ情報と同一のヘッダ情報を有する音声情報も除去することができる。
【０１７５】
一方、連写モード切り換えスイッチ１３が、ＬモードまたはＨモードに切り換えられている場合（連写モードに切り換えられている場合）において、最初に録音スイッチ１２が押され、後からレリーズスイッチ１０が押されると、メモリカード２４に記録される情報には、以下に示すヘッダ情報が記録される。
【０１７６】
すなわち、この場合においては、レリーズスイッチ１０が押されるまでの音声データが、メモリカード２４の音声情報記録領域に、１つのファイルとして記録される。その後、レリーズスイッチ１０が押された場合には、撮影画像の各コマに対応する日時のヘッダ情報が音声データとともに記録される。
【０１７７】
ところで、本実施の形態においては、既述のように、被写体の光画像を撮影するだけでなく、メモ（線画）情報を記録することも可能である。本実施の形態においては、これらの情報を入力するモード（撮影モードおよびメモ入力モード）を具備しており、ユーザの操作に応じてこれらのモードが適宜選択され、情報の入力がスムーズに実行されるようになされている。
【０１７８】
また、上記実施の形態において、図１４、図１５に示した各処理をＣＰＵ３９に行わせるプログラムは、電子カメラ１のＲＯＭ４３やメモリカード２４等に記憶させるようにすることができる。また、このプログラムは、予め上記ＲＯＭ４３やメモリカード２４に記憶された状態で使用者に供給されるようにしてもよいし、ＲＯＭ４３やメモリカード２４にコピー可能なように、ＣＤ−ＲＯＭ（compact disc-read only memory）等に記憶された状態で使用者に供給されるようにしてもよい。その場合、ＲＯＭ４３は、例えば、電気的に書き換え可能なＥＥＰＲＯＭ（electrically erasable and programmable read only memory）等で構成するようにする。
【０１７９】
なお、上記実施の形態においては、ファインダ２を光学的なものとしたが、液晶を用いた液晶ファインダを用いるようにすることも可能である。
【０１８０】
また、上記実施の形態においては、撮影レンズ、ファインダ、発光部をこの順で、電子カメラの正面から見て、左から順に並べるようにしたが、右から順に並べるようにすることも可能である。
【０１８１】
また、上記実施の形態においては、マイクロホンを１つだけ設けるようにしたが、マイクロホンを左右に２つ設けるようにし、音声をステレオで記録するようにすることも可能である。
【０１８２】
また、上記実施の形態においては、ペン型指示装置を用いて各種情報を入力するようにしたが、指を用いて入力するようにすることも可能である。
【０１８３】
また、ＬＣＤ６に表示された表示画面は一例であって、これに限定されるものではなく、様々なレイアウトの画面を用いるようにすることが可能である。同様に、操作キーの種類やレイアウトも一例であって、これに限定されるものではない。
【０１８４】
【発明の効果】
以上の如く、請求項１に記載の情報処理装置によれば、第１の操作受付手段の操作面が操作を受け付け可能な状態で、検出手段により操作指示手段が収納手段に収納されていることが検出された場合、第１の操作受付手段の操作面が操作されても入力手段による情報の入力を禁止し、第２の操作受付手段が操作される際は入力手段による情報の入力を許可させ、検出手段により操作指示手段が収納手段に収納されていないことが検出された場合、第２の操作受付手段が操作されても入力手段による情報の入力が禁止されるように制御し、第１の操作受付手段の操作面が操作される際は入力手段による情報の入力が許可されるように制御するようにしたので、誤作動を抑制することができる。
【０１８５】
請求項６に記載の記録媒体によれば、第１の操作受付手段の操作面が操作を受け付け可能な状態で、検出手段により操作指示手段が収納手段に収納されていることが検出された場合、第１の操作受付手段の操作面が操作されても入力手段による情報の入力を禁止し、第２の操作受付手段が操作される際は入力手段による情報の入力を許可させ、検出手段により操作指示手段が収納手段に収納されていないことが検出された場合、第２の操作受付手段が操作されても入力手段による情報の入力が禁止されるように制御し、第１の操作受付手段の操作面が操作される際は入力手段による情報の入力が許可されるように制御する制御プログラムを記録したので、誤作動を抑制することができる。
【図面の簡単な説明】
【図１】本発明を適用した電子カメラの一実施の形態を正面の側から見た斜視図である。
【図２】電子カメラ１をＬＣＤカバー１４を開けた状態で背面の側から見た斜視図である。
【図３】電子カメラ１をＬＣＤカバー１４を閉じた状態で背面の側から見た斜視図である。
【図４】電子カメラ１の内部の構成例を示す図である。
【図５】電子カメラ１のＬＣＤスイッチ２５とＬＣＤカバー１４の動作を説明する図である。
【図６】電子カメラ１にペン４１が収納された様子を示す底面図である。
【図７】電子カメラ１にペン４１が収納された様子を示す側面図である。
【図８】ペン４１によりスイッチ５１がオン／オフされる様子を示す図である。
【図９】電子カメラ１の内部の電気的構成例を示すブロック図である。
【図１０】間引き処理を説明するための図である。
【図１１】間引き処理の他の例を示す図である。
【図１２】メインメニュー画面の表示例を示す図である。
【図１３】電子ビューファインダ表示が行われている例を示す図である。
【図１４】録画時の動作手順の例を説明するフローチャートである。
【図１５】録画時の動作手順の他の例を説明するフローチャートである。
【図１６】電子カメラ１のＬＣＤ６に表示される表示画面例を示す図である。
【符号の説明】
１  電子カメラ
２  ファインダ
３  撮影レンズ
４  発光部（ストロボ）
５  スピーカ
６  ＬＣＤ
６Ａ  タッチタブレット
７  操作キー
７Ａ  メニューキー
７Ｂ  実行キー
７Ｃ  キャンセルキー
７Ｄ  デリートキー
７Ｅ，７Ｆ，７Ｇ，７Ｈ  スクロールキー
８  マイクロホン
９  イヤホンジャック
１０  レリーズスイッチ
１１  電源スイッチ
１２  録音スイッチ
１３  連写モード切り換えスイッチ
１５  赤目軽減ＬＥＤ
１６  測光素子
１７  測色素子
２０  ＣＣＤ
２１  バッテリ
２２  コンデンサ
２３  回路基板
２４  メモリカード
２６  ファインダ内表示素子
３０  レンズ駆動回路
３１  画像処理部
３２  アナログ／デジタル変換回路（Ａ／Ｄ）
３３  デジタルシグナルプロセッサ（ＤＳＰ）
３４  ＣＣＤ駆動回路
３５  フレームメモリ
３６  バッファメモリ
３７  ストロボ駆動回路
３８  赤目軽減ＬＥＤ駆動回路
３９  ＣＰＵ
４０  ファインダ内表示回路
４１  ペン
４２  Ａ／ＤおよびＤ／Ａ変換回路
４３  ＲＯＭ
４５  タイマ
４８  インタフェース
５１  測光回路
５２  測色回路
５３  絞り駆動回路
５４  絞り
【図１】
0004423681.tif 000002
【図２】
0004423681.tif 000003
【図３】
0004423681.tif 000004
【図４】
0004423681.tif 000005
【図５】
0004423681.tif 000006
【図６】
0004423681.tif 000007
【図７】
0004423681.tif 000008
【図８】
0004423681.tif 000009
【図９】
0004423681.tif 000010
【図１０】
0004423681.tif 000011
【図１１】
0004423681.tif 000012
【図１２】
0004423681.tif 000013
【図１３】
0004423681.tif 000014
【図１４】
0004423681.tif 000015
【図１５】
0004423681.tif 000016
【図１６】
0004423681.tif 000017